(57)【要約】      （修正有）【課題】ボックス内の端子板に空きスペースがない場合でも既存ボックス上に端子板を増設することを可能とする。【解決手段】通信回線の屋内配線接続用の複数の端子を有する端子板Ｔに対して、その上部を覆うように着脱自在に配されるカバー状のアタッチメント２０を用意し、上記アタッチメントは端子板を載置可能な屋上面２０Ｃを有すると共に、端子板の底面に存する既存の孔３、４に嵌入又は係止可能な突起部材２３、２４が屋上面に突設される。【選択図】図１
0003108307.tif 000002
【実用新案登録請求の範囲】
【請求項１】
通信回線の屋内配線接続用の複数の端子を有する端子板に対して、その上部を覆うように着脱自在に配されるカバー状のアタッチメントにして、上記アタッチメントは端子板を載置可能な屋上面を有すると共に、端子板の底面に存する既存の孔に嵌入又は係止可能な突起部材を上記屋上面に突設したことを特徴とする端子板連結用アタッチメント。
【請求項２】
通信回線の屋内配線接続用の複数の端子を有する端子板に対して、その上部を覆うように着脱自在に配されるカバー状のアタッチメントにして、上記アタッチメントは端子板を載置可能な屋上面を有すると共に、端子板の底面に存する既存のネジ孔又はクリート取り付け用の孔又はこれらの双方に嵌入又は係止可能な突起部材を突設したことを特徴とする端子板連結用アタッチメント。
【請求項３】
通信回線の屋内配線接続用の複数の端子を有する端子板に対して、その上部を覆うように着脱自在に配されるカバー状のアタッチメントにして、上記アタッチメントは端子板を載置可能な屋上面を有すると共に、端子板の底面に存する既存のネジ孔を貫通して先端が端子板の底板に係止すべき鉤状の突起部材を突設したことを特徴とする端子板連結用アタッチメント。
【請求項４】
通信回線の屋内配線接続用の複数の端子を有する端子板に対して、その上部を覆うように着脱自在に配されるカバー状のアタッチメントにして、上記アタッチメントは端子板を載置可能な屋上面を有すると共に、端子板の底面に存する既存のネジ孔を貫通して先端が端子板の底板に係止すべき鉤状の突起部材及び既存のクリート取り付け用の孔に嵌入可能なピン状の突起部材を突設したことを特徴とする端子板連結用アタッチメント。
【請求項５】
カバー状のアタッチメントは端子板に対して被蓋されている既存のカバーに対して、その上部を覆うように着脱自在に配される請求項１から４の何れかに記載の端子板連結用アタッチメント。
【考案の詳細な説明】
【技術分野】
【０００１】
この考案は、通信回線の配線に使用するための端子板に使用するアタッチメントに関し、より詳細には端子板を増設する際に使用するアタッチメントに関する。
【背景技術】
【０００２】
電話回線等の通信回線の屋内配線において、多数の電線を接続するために複数の端子を有する端子板が従来公知であり、例えば外線に対して内線を接続する場合等に使用されている。
【０００３】
この場合、建物内の主配線盤（ＭＤＦ）や中間配線盤（ＩＤＦ）等のボックス内に端子板を設置するに際しては、これらのボックス内の木板に端子板をネジ止めにより設置していた。
【特許文献１】特許第２９４５６０７号公報
【特許文献２】実用新案登録第３０８５６７４号公報
【考案の開示】
【考案が解決しようとする課題】
【０００４】
前記の従来技術においては端子板を増設するに際して、ボックスに空きスペースがない場合は新たにボックスを増設しなければならない不便さがあった。特に近年では宅内におけるデジルタル機器の増大で、必要とされる端子板の数が増加傾向にあるのでこの問題は切実であった。
【課題を解決するための手段】
【０００５】
この考案は以上の従来技術の問題点を解消するための端子板連結用アタッチメントを提供することを目的として創作されたものであり、ここでは次の５つの考案を開示する。
【０００６】
第１考案の端子板連結用アタッチメントは、通信回線の屋内配線接続用の複数の端子を有する端子板に対して、その上部を覆うように着脱自在に配されるカバー状のアタッチメントにして、上記アタッチメントは端子板を載置可能な屋上面を有すると共に、端子板の底面に存する既存の孔に嵌入又は係止可能な突起部材を上記屋上面に突設したことを特徴とする。
【０００７】
第２考案の端子板連結用アタッチメントは、前記第１考案において、端子板の底面に存する既存の孔としてネジ孔又はクリート取り付け用の孔又はこれらの双方を採用したことを特徴とする。
【０００８】
第３考案の端子板連結用アタッチメントは、前記第１考案において、端子板の底面に存する既存の孔としてネジ孔を採用し、上記ネジ孔を貫通して先端が端子板の底板に係止すべき鉤状の突起部材をアタッチメントの屋上面に突設したことを特徴とする。
【０００９】
第４考案の端子板連結用アタッチメントは、前記第１考案において、端子板の底面に存する既存の孔としてネジ孔及びクリート取り付け用の孔を採用し、ネジ孔を貫通して先端が端子板の底板に係止すべき鉤状の突起部材及びクリート取り付け用の孔に嵌入可能なピン状の突起部材をアタッチメントの屋上面に突設したことを特徴とする。
【００１０】
第５考案の端子板連結用アタッチメントは、前記の各考案において、カバー状のアタッチメントは端子板に対して被蓋されている既存のカバーに対して、その上部を覆うように着脱自在に配されるようにしたことを特徴とする。
【考案の効果】
【００１１】
この考案によれば、アタッチメントを介して複数の端子板を上下方向に連結することができるので、ボックス内の木板に空きスペースがない場合でもボックス内の厚み方向の空きスペースを活用して既存ボックス内に端子板を増設することが可能となる。
【００１２】
一方、連結に際しては端子板底面のネジ孔やクリート取り付け用の孔を利用するので、端子板側には何らの変更も要せず既存の端子板にそのまま使用できるので、金型の変更費用などの経費を要せずに経済的に端子板の増設を行うことが可能となる。
【００１３】
又、第４考案の構成を採用した場合には、端子板の周囲方向に配されたクリート取り付け用の孔を利用して平面方向のずれ防止を図ると共に、端子板の底面に貫通したネジ孔を利用して上下方向への抜け止めを図れるので効果的な連結効果を得ることが可能となる。
【考案を実施するための最良の形態】
【００１４】
以下、この考案の具体的実施例を添付図面に基づいて説明する。図１乃至５は第１考案乃至第３考案の要件を備えた第４考案の実施例を示す図である。ここでは、先に本願出願人が出願して前記特許文献１において公知の端子板の基本構成を採用した端子板を例にとることとするが、この考案のアタッチメントが適用可能な端子板の種類はこれに限られないことは勿論である。この端子板Ｔはプラスチックにより成型されるものであり、複数の端子ユニット１１を着脱自在に収容した筐体状の本体１０、これが着脱自在に収容される断面コ字状のベース体１からなる（図１参照）。
【００１５】
図２は端子板Ｔのベース体１の底面を示す図である。この実施例においては底板１Ｃの中央前後にはネジ止めのためのネジ孔が一線上に４箇所設けられる。このうちの内側の２個のネジ孔２、２は丸孔状であるが、外側の２個のネジ孔３、３は挿入されるネジの外径に対し左右に遊びを持たせた長孔状に構成される。これらのネジ孔は底板１Ｃを貫通して設けられる。一方、図中符合４・・・４はクリート取り付け用の孔であり、ここでは底板１Ｃの左右前後に４箇所設けられる。
【００１６】
図中符合２０はこの考案のアタッチメントである。このアタッチメント２０は前記の端子板Ｔに対して、その上部を覆うように着脱自在に配されるカバー状のものであり、プラスチックにより成型され、端子板を上部に載置可能な平滑な屋上面２０Ｃを有する。上記屋上面２０Ｃ上には前記の端子板Ｔの既存のネジ孔３、３及びクリート取り付け用の孔４・・・４に対応して突起部材２３、２３及び２４・・・２４が突設される。上記突起部材中、ネジ孔３、３に対応する突起部材２３、２３は端子板Ｔを載置した際にネジ孔を貫通して先端が端子板の底板１Ｃに係止すべき鉤状に構成されるものであり、先端に楔状の突起部２３Ａ、２３Ａが突設される。又、クリート取り付け用の孔４・・・４に対応する突起部材２４・・・２４は端子板Ｔを載置した際にクリート取り付け用の孔に嵌入すべきピン状に構成される。
【００１７】
以上の構成よりなるアタッチメント２０は天井面２０Ｃより垂設された左右側壁２０Ａ、２０Ａ及び前後側壁２０Ｂ、２０Ｂにより端子板Ｔのベース体１の左右側壁１Ａ、１Ａを強圧抱持することにより端子板に対して着脱自在に固定される（図１及び３参照）。
【００１８】
そして、端子板Ｔ同士の連結にあたっては下側の端子板のカバーＣに代えてこの考案のアタッチメント２０を端子板の上部に固定し、その上に連結対象の端子板を載置し、端子板の底板１Ｃのネジ孔３、３にアタッチメントの突起部材２３、２３を係止すると共に、同じくクリート取り付け用の孔４・・・４に突起部材２４・・・２４を嵌入してアタッチメント上に連結対象の端子板を固定する（図４及び５参照）。
【００１９】
次に図６乃至図８は第５考案の実施例を示す図である。第５考案においては、アタッチメントは端子板に対して被蓋されている既存のカバーに対して、その上部を覆うように着脱自在に配されることを特徴とする。図中符合３０はアタッチメントであり、天井面３０Ｃより垂設された左右側壁３０Ａ、３０Ａにより端子板Ｔに被蓋されているカバーＣの左右側壁Ｃ１、Ｃ１を挟持すると共に、上記の左右側壁３０Ａ、３０Ａの下端内側に突設した突条３１、３１をカバーＣの左右側壁Ｃ１、Ｃ１下端に係止することにより上下方向の抜け止めとしている（図６参照）。
【００２０】
前記のアタッチメント３０の屋上面３０Ｃ上には端子板Ｔの既存のネジ孔３、３及びクリート取り付け用の孔４・・・４に対応して突起部材３３、３３及び３４・・・３４が突設される。上記突起部材中、ネジ孔３、３に対応する突起部材３３、３３は端子板Ｔを載置した際にネジ孔を貫通して先端が端子板の底板１Ｃに係止すべき鉤状に構成されるものであり、先端に楔状の突起部３３Ａ、３３Ａが突設される。又、クリート取り付け用の孔４・・・４に対応する突起部材３４・・・３４は端子板Ｔを載置した際にクリート取り付け用の孔に嵌入すべきピン状に構成される。
【００２１】
そして、端子板Ｔ同士の連結にあたっては下側の端子板のカバーＣにこの考案のアタッチメント３０を固定し、その上に連結対象の端子板を載置し、端子板の底板１Ｃのネジ孔３、３にアタッチメントの突起部材３３、３３を係止すると共に、同じくクリート取り付け用の孔４・・・４に突起部材３４・・・３４を嵌入してアタッチメント上に連結対象の端子板を固定する（図７及び８参照）。
【図面の簡単な説明】
【００２２】
【図１】第４考案のアタッチメント及びそれが使用される端子板の取り付け前の斜視図。
【図２】同上、端子板の底面図
【図３】同上、アタッチメントを取り付けた状態の斜視図。
【図４】同上、アタッチメントを使用して端子板同士を連結する過程を示す斜視図。
【図５】同上、端子板同士を連結した状態の斜視図
【図６】第５考案のアタッチメント及びそれが使用される端子板の取り付け前の斜視図。
【図７】同上、アタッチメントを取り付けた状態の斜視図。
【図８】同上、端子板同士を連結した状態の斜視図
【符号の説明】
【００２３】
Ｔ        端子板
３        ネジ孔
４        クリート取り付け用の孔
２０      アタッチメント
２０Ｃ    屋上面
２３      突起部材
２４      突起部材
【図１】
0003108307.tif 000003
【図２】
0003108307.tif 000004
【図３】
0003108307.tif 000005
【図４】
0003108307.tif 000006
【図５】
0003108307.tif 000007
【図６】
0003108307.tif 000008
【図７】
0003108307.tif 000009
【図８】
0003108307.tif 000010